(57)【要約】    【課題】      複数の基地局装置からの受信データに対する選択合成処理での受信性能を下げることなく消費電力を削減すること。    【解決手段】  タイミング算出手段１０３は、受信手段７０２での復調タイミングとバッファ７０８及びバッファ７０９に格納される復号手段１０１及び復号手段１０２が復号したデータに付されたシーケンス番号とに基づき、２つの基地局装置からの２つのデータ受信タイミング差Ｘ、Ｙを検出する。復号制御手段１０４は、タイミング算出手段１０３が算出した２つの基地局装置からのデータ受信タイミング差Ｘ、Ｙと誤り検出手段７０６及び誤り検出手段７０７の誤り検出検出結果とに基づき復号手段１０１及び復号手段１０２の復号処理動作を停止させるか否かを制御する。  【選択図】      図１
2006295392.tif 000002
【特許請求の範囲】
【請求項１】
複数の基地局装置から同一内容のデータを受信する受信系として、複数の基地局装置からの受信データを個別に復号する復号手段と、前記復号手段が復号した各データの誤りをそれぞれ検出する誤り検出手段と、前記複数の基地局装置からのデータ受信タイミング差を検出するタイミング算出手段と、前記データ受信タイミング差と前記誤り検出手段の検出結果とに基づき、前記復号手段の中で復号処理を継続するのと停止するのとを制御する復号制御手段と、を具備することを特徴とする通信端末装置。
【請求項２】
前記タイミング算出手段は、前記データ受信タイミング差として、複数の基地局装置からの受信データの復調タイミングを用いて計測した隣接データ間のタイミング差と、復号データのシーケンス番号を用いて計測した同一データ間のタイミング差とを出力し、前記復号制御手段は、前記同一データ間のタイミング差が前記隣接データ間のタイミング差よりも大きい場合に、前記誤り検出手段の検出結果に基づき、前記復号手段の中で復号処理を継続するのと停止するのとを制御することを特徴とする請求項１記載の通信端末装置。
【請求項３】
前記タイミング算出手段は、前記データ受信タイミング差として、復号データのシーケンス番号を用いて計測した同一データ間のタイミング差を出力し、前記復号制御手段は、前記同一データ間のタイミング差が所定の閾値よりも大きい場合に、前記誤り検出手段の検出結果に基づき、前記復号手段の中で復号処理を継続するのと停止するのとを制御することを特徴とする請求項１記載の通信端末装置。
【請求項４】
前記タイミング算出手段は、前記データ受信タイミング差として、複数の基地局装置から通知された、隣接データ間のタイミング差と同一データ間のタイミング差とを検出し、前記復号制御手段は、前記同一データ間のタイミング差が前記隣接データ間のタイミング差よりも大きい場合に、前記誤り検出手段の検出結果に基づき、前記復号手段の中で復号処理を継続するのと停止するのとを制御することを特徴とする請求項１記載の通信端末装置。
【請求項５】
前記タイミング算出手段は、前記データ受信タイミング差として、複数の基地局装置から通知された同一データ間のタイミング差を検出し、前記復号制御手段は、前記同一データ間のタイミング差が所定の閾値よりも大きい場合に、前記誤り検出手段の検出結果に基づき、前記復号手段の中で復号処理を継続するのと停止するのとを制御することを特徴とする請求項１記載の通信端末装置。
【請求項６】
前記タイミング算出手段は、ある基地局装置間での通信開始時に、或いは、その後の通信中に、別の基地局との通信が追加された場合に、それぞれの基地局装置からの前記データ受信タイミング差を検出することを特徴とする請求項１記載の通信端末装置。
【請求項７】
複数の基地局装置から同一内容のデータを受信処理する場合に、複数の基地局装置からの受信データを複数の復号器にて個別に復号する工程と、前記復号した各データの誤りをそれぞれ検出する工程と、前記複数の基地局装置からのデータ受信タイミング差を検出する工程と、前記データ受信タイミング差と前記誤り検出結果とに基づき、前記復号処理を継続する復号器と停止する復号器とを制御する工程と、を具備することを特徴とする同一データ受信方法。
【請求項８】
前記データ受信タイミング差を検出する工程では、複数の基地局装置からの受信データの復調タイミングを用いて隣接データ間のタイミング差を計測し、その後に復号データのシーケンス番号を用いて同一データ間のタイミング差を計測し、前記復号器を制御する工程では、前記同一データ間のタイミング差が前記隣接データ間のタイミング差よりも大きい場合に、前記誤り検出に基づき、復号処理を継続する復号器と停止する復号器とを制御することを特徴とする請求項７記載の同一データ受信方法。
【請求項９】
前記データ受信タイミング差を検出する工程では、復号データのシーケンス番号を用いて同一データ間のタイミング差を計測し、前記復号器を制御する工程では、前記同一データ間のタイミング差が所定の閾値よりも大きい場合に、前記誤り検出に基づき、復号処理を継続する復号器と停止する復号器とを制御することを特徴とする請求項７記載の同一データ受信方法。
【請求項１０】
前記データ受信タイミング差を検出する工程では、複数の基地局装置から通知された、隣接データ間のタイミング差と同一データ間のタイミング差とを検出し、前記復号器を制御する工程では、前記同一データ間のタイミング差が前記隣接データ間のタイミング差よりも大きい場合に、前記誤り検出に基づき、復号処理を継続する復号器と停止する復号器とを制御することを特徴とする請求項７記載の同一データ受信方法。
【請求項１１】
前記データ受信タイミング差を検出する工程では、複数の基地局装置から通知された同一データ間のタイミング差を検出し、前記復号器を制御する工程では、前記同一データ間のタイミング差が所定の閾値よりも大きい場合に、前記誤り検出に基づき、復号処理を継続する復号器と停止する復号器とを制御することを特徴とする請求項７記載の同一データ受信方法。
【請求項１２】
前記データ受信タイミング差を検出する工程では、ある基地局装置間での通信開始時に、或いは、その後の通信中に、別の基地局との通信が追加された場合に、それぞれの基地局装置からの前記データ受信タイミング差を検出することを特徴とする請求項７記載の同一データ受信方法。
【発明の詳細な説明】
【技術分野】
【０００１】
本発明は、複数の基地局装置から受信する同一内容のデータから一のデータを取り込む選択合成処理を行う通信端末装置及び同一データ受信方法に関する。
【背景技術】
【０００２】
移動通信システムでは、複数の基地局装置のそれぞれがセルと呼ばれるカバーエリアを有している。幾つかのセルが重なり合うエリアでは、通信端末装置は複数の基地局装置と通信を行う。その際、基地局装置の上位に位置する基地局制御装置では、複数の基地局装置からの受信データのうち誤りが検出されなかったデータを最終的な受信データとみなす選択合成という処理が行われる。選択合成処理を行う基地局制御装置及び基地局装置については、例えば特許文献１に開示された方式が知られている。
【０００３】
ところで、近年、第３世代携帯電話システムの標準化団体である３ＧＰＰでは、Ｗ−ＣＤＭＡ（広帯域符号分割多元接続）方式の通信システムにおいて、特定または不特定多数のユーザに対して同時にマルチメディアデータのサービスを行うためのシステムの実現を目指して、ＭＢＭＳ(Multimedia Broadcast/Multicast Service：マルチメディア同報・放送型通信)に関する標準化を行っている。
【０００４】
即ち、このＭＢＭＳでは、複数の基地局から通信端末装置に対して同じデータが送信されるので、通信端末装置の受信系では、上記したような選択合成処理を行う必要がある。そこで、特許文献１に開示された選択合成処理方法を通信端末装置に適用した場合を考える。
【０００５】
図７は、従来の選択合成処理方法を適用した通信端末装置の構成例を示すブロック図である。なお、説明を簡単にするため、図７では、２つの基地局装置から同時に受信する場合の構成が示されている。
【０００６】
即ち、図７において、通信端末装置の受信系７００は、受信アンテナ７０１が受信した基地局装置からの無線信号を増幅、ダウンコンバートなどを行ってベースバンドの受信データを出力する受信手段７０２と、受信データの逆拡散処理を行う逆拡散手段７０３と、逆拡散された受信データに対して並列に誤り訂正復号処理を行う復号手段７０４及び復号手段７０５と、復号手段７０４及び復号手段７０５にて誤り訂正復号処理されたデータに誤りが残存しているか否かを検出する誤り検出手段７０６及び誤り検出手段７０７と、復号手段７０４及び復号手段７０５が誤り訂正復号処理を行った硬値を格納するバッファ７０８及びバッファ７０９と、誤り検出手段７０６及び誤り検出手段７０７の誤り検出結果に基づき、バッファ７０８及びバッファ７０９に格納される復号手段７０４及び復号手段７０５が復号したデータのうちどちらの復号データを最終的な復号データとするかを選択するデータ選択合成手段７１０とを備えている。
【０００７】
次に、動作について説明する。２つのセルが跨ったエリアにおいて、２つの基地局装置と通信を行う場合、受信手段７０２によって受信された双方の基地局装置からの受信データは、逆拡散手段７０３にて逆拡散処理され、復号手段７０４及び復号手段７０５にて、それぞれの基地局からの受信データ毎に誤り訂正復号処理が行われる。
【０００８】
そして、それぞれの基地局からの受信データを復号した結果は、それぞれのバッファ７０８、７０９に格納される。また、それぞれの誤り検出手段７０６、７０７にて、それぞれの基地局装置からの受信データを復号した結果に誤りが残存しているか否かがチェックされる。
【０００９】
復号手段７０４の復号した受信データが誤り未検出で、復号手段７０５の復号した受信データに誤りが検出された場合は、データ選択合成手段７１０によって復号手段７０４の復号した受信データが最終的な受信データとして選択され、上位に渡される。一方、復号手段７０４の復号した受信データに誤りが検出され、復号手段７０５の復号した受信データが誤り未検出である場合は、データ選択合成手段７１０によって復号手段７０５の復号した受信データが最終的な受信データとして選択され、上位に渡される。このような構成によって、受信性能を上げることができる。なお、以上の説明から理解できるように、復号手段、誤り検出手段及びバッファは受信する基地局装置と１対１の関係で設けられる。
【特許文献１】特開２０００−６８９０８号公報
【発明の開示】
【発明が解決しようとする課題】
【００１０】
しかしながら、従来の選択合成処理方法を適用した通信端末装置では、受信対象の基地局装置からの受信データ全てに対して誤り訂正復号処理を行うため、消費電力の増加を招来するという問題がある。
【００１１】
本発明は、かかる点に鑑みてなされたものであり、選択合成処理での受信性能を下げることなく消費電力を削減することのできる通信端末装置及び同一データ受信方法を提供することを目的とする。
【課題を解決するための手段】
【００１２】
かかる課題を解決するため、本発明に係る通信端末装置は、複数の基地局装置から同一内容のデータを受信する受信系として、複数の基地局装置からの受信データを個別に復号する復号手段と、前記復号手段が復号した各データの誤りをそれぞれ検出する誤り検出手段と、前記複数の基地局装置からのデータ受信タイミング差を検出するタイミング算出手段と、前記データ受信タイミング差と前記誤り検出手段の検出結果とに基づき、前記復号手段の中で復号処理を継続するのと停止するのとを制御する復号制御手段とを具備する構成を採る。
【００１３】
この構成によれば、複数の受信データから一のデータを取り込む選択合成処理において復号手段は全てが復号処理しないでもよいので、受信性能を下げることなく消費電力を削減することができる。
【００１４】
本発明に係る通信端末装置は、上記の発明において、前記タイミング算出手段は、前記データ受信タイミング差として、複数の基地局装置からの受信データの復調タイミングを用いて計測した隣接データ間のタイミング差と、復号データのシーケンス番号を用いて計測した同一データ間のタイミング差とを出力し、前記復号制御手段は、前記同一データ間のタイミング差が前記隣接データ間のタイミング差よりも大きい場合に、前記誤り検出手段の検出結果に基づき、前記復号手段の中で復号処理を継続するのと停止するのとを制御するという構成を採る。
【００１５】
この構成によれば、同一データ間のタイミング差と隣接データ間のタイミング差との大小関係に基づき、復号処理の停止制御が行える。
【００１６】
本発明に係る通信端末装置は、上記の発明において、前記タイミング算出手段は、前記データ受信タイミング差として、復号データのシーケンス番号を用いて計測した同一データ間のタイミング差を出力し、前記復号制御手段は、前記同一データ間のタイミング差が所定の閾値よりも大きい場合に、前記誤り検出手段の検出結果に基づき、前記復号手段の中で復号処理を継続するのと停止するのとを制御するという構成を採る。
【００１７】
この構成によれば、同一データ間のタイミング差と所定の閾値との大小関係に基づき、復号処理の停止制御が行える。
【００１８】
本発明に係る通信端末装置は、上記の発明において、前記タイミング算出手段は、前記データ受信タイミング差として、複数の基地局装置から通知された、隣接データ間のタイミング差と同一データ間のタイミング差とを検出し、前記復号制御手段は、前記同一データ間のタイミング差が前記隣接データ間のタイミング差よりも大きい場合に、前記誤り検出手段の検出結果に基づき、前記復号手段の中で復号処理を継続するのと停止するのとを制御するという構成を採る。
【００１９】
この構成によれば、受信データ間のタイミング差を計測しないで済むので、構成の簡素化が図れる。
【００２０】
本発明に係る通信端末装置は、上記の発明において、前記タイミング算出手段は、前記データ受信タイミング差として、複数の基地局装置から通知された同一データ間のタイミング差を検出し、前記復号制御手段は、前記同一データ間のタイミング差が所定の閾値よりも大きい場合に、前記誤り検出手段の検出結果に基づき、前記復号手段の中で復号処理を継続するのと停止するのとを制御するという構成を採る。
【００２１】
この構成によれば、受信データ間のタイミング差を計測しないで済むので、構成の簡素化が図れる。
【００２２】
本発明に係る通信端末装置は、上記の発明において、前記タイミング算出手段は、ある基地局装置間での通信開始時に、或いは、その後の通信中に、別の基地局との通信が追加された場合に、それぞれの基地局装置からの前記データ受信タイミング差を検出するという構成を採る。
【００２３】
この構成によれば、基地局装置の追加に対して簡単に対応することができる。
【００２４】
本発明に係る同一データ受信方法は、複数の基地局装置から同一内容のデータを受信する場合に、複数の基地局装置からの受信データを複数の復号器にて個別に復号する工程と、前記復号した各データの誤りをそれぞれ検出する工程と、前記複数の基地局装置からのデータ受信タイミング差を検出する工程と、前記データ受信タイミング差と前記誤り検出結果とに基づき、前記復号処理を継続する復号器と停止する復号器とを制御する工程とを具備するようにした。
【００２５】
この方法によれば、複数の受信データから一のデータを取り込む選択合成処理において復号器は全てが復号処理しないでもよいので、受信性能を下げることなく消費電力を削減することができる。
【００２６】
本発明に係る同一データ受信方法は、上記の発明において、前記データ受信タイミング差を検出する工程では、複数の基地局装置からの受信データの復調タイミングを用いて隣接データ間のタイミング差を計測し、その後に復号データのシーケンス番号を用いて同一データ間のタイミング差を計測し、前記復号器を制御する工程では、前記同一データ間のタイミング差が前記隣接データ間のタイミング差よりも大きい場合に、前記誤り検出に基づき、復号処理を継続する復号器と停止する復号器とを制御するようにした。
【００２７】
この方法によれば、同一データ間のタイミング差と隣接データ間のタイミング差との大小関係に基づき、復号処理の停止制御が行える。
【００２８】
本発明に係る同一データ受信方法は、上記の発明において、前記データ受信タイミング差を検出する工程では、復号データのシーケンス番号を用いて同一データ間のタイミング差を計測し、前記復号器を制御する工程では、前記同一データ間のタイミング差が所定の閾値よりも大きい場合に、前記誤り検出に基づき、復号処理を継続する復号器と停止する復号器とを制御するようにした。
【００２９】
この方法によれば、同一データ間のタイミング差と所定の閾値との大小関係に基づき、復号処理の停止制御が行える。
【００３０】
本発明に係る同一データ受信方法は、上記の発明において、前記データ受信タイミング差を検出する工程では、複数の基地局装置から通知された、隣接データ間のタイミング差と同一データ間のタイミング差とを検出し、前記復号器を制御する工程では、前記同一データ間のタイミング差が前記隣接データ間のタイミング差よりも大きい場合に、前記誤り検出に基づき、復号処理を継続する復号器と停止する復号器とを制御するようにした。
【００３１】
この方法によれば、受信データ間のタイミング差を計測しないで済むので、構成の簡素化が図れる。
【００３２】
本発明に係る同一データ受信方法は、上記の発明において、前記データ受信タイミング差を検出する工程では、複数の基地局装置から通知された同一データ間のタイミング差を検出し、前記復号器を制御する工程では、前記同一データ間のタイミング差が所定の閾値よりも大きい場合に、前記誤り検出に基づき、復号処理を継続する復号器と停止する復号器とを制御するようにした。
【００３３】
この方法によれば、受信データ間のタイミング差を計測しないで済むので、構成の簡素化が図れる。
【００３４】
本発明に係る同一データ受信方法は、上記の発明において、前記データ受信タイミング差を検出する工程では、ある基地局装置間での通信開始時に、或いは、その後の通信中に、別の基地局との通信が追加された場合に、それぞれの基地局装置からの前記データ受信タイミング差を検出するようにした。
【００３５】
この方法によれば、基地局装置の追加に対して簡単に対応することができる。
【発明の効果】
【００３６】
本発明によれば、選択合成処理での受信性能を下げることなく消費電力を削減することができる。
【発明を実施するための最良の形態】
【００３７】
本発明の骨子は、ＭＢＭＳのシステムにおいて、複数の基地局装置から受信する同一データに対して選択合成処理を行う場合に、受信性能を下げることなく消費電力を削減することである。
【００３８】
以下、本発明の実施の形態について図面を参照して詳細に説明する。
【００３９】
（一実施の形態）
図１は、本発明の一実施の形態に係る通信端末装置の構成を示すブロック図である。なお、図１では、図７（従来例）に示した構成要素と同一ないしは同等である構成要素には同一の符号が付されている。ここでは、本実施の形態に関わる部分を中心に説明する。
【００４０】
即ち、図１に示す本実施の形態に係る通信端末装置の受信系１００では、図７（従来例）に示した構成において、復号手段７０４及び復号手段７０５に代えて、復号手段１０１及び復号手段１０２が設けられ、タイミング算出手段１０３と復号制御手段１０４とが追加されている。
【００４１】
復号手段１０１及び復号手段１０２は、復号制御手段１０４からの指示に従って、復号処理の実行とその停止とが行えるようになっている。
【００４２】
タイミング算出手段１０３は、受信手段７０２での復調タイミングとバッファ７０８及びバッファ７０９に格納される復号手段１０１及び復号手段１０２が復号したデータに付されたシーケンス番号とに基づき、複数の基地局装置（図１では２つの基地局装置）からの２つのデータ受信タイミング差Ｘ、Ｙを検出する。
【００４３】
復号制御手段１０４は、タイミング算出手段１０３が算出した２つの基地局装置からのデータ受信タイミング差Ｘ、Ｙと誤り検出手段７０６及び誤り検出手段７０７の誤り検出結果とに基づき復号手段１０１及び復号手段１０２の復号処理動作を停止させるか否かを制御する。
【００４４】
次に、図１〜図６を参照して、本実施の形態に係る通信端末装置１００の受信系にて実施される選択合成処理の動作について説明する。なお、図２は、図１に示すタイミング算出手段１０３及び復号制御手段１０４の動作概要を説明するフローチャートである。図３は、図１に示すタイミング算出手段１０３のタイミング算出動作（図２に示すＳＴ２０１、ＳＴ２０２）を説明する図である。図４は、図１に示す復号制御手段１０４が行う復号処理を停止するか否かの制御動作（図２に示すＳＴ２０４、ＳＴ２０５）を説明するフローチャートである。図５は、図１に示す復号制御手段１０４の動作のうち復号停止制御を行う場合（図２に示すＳＴ２０４）を具体的に説明する図である。図６は、図１に示す復号制御手段１０４の動作のうち復号停止制御を行わない場合（図２に示すＳＴ２０５）を具体的に説明する図である。なお、フローチャートの説明では、処理手順を意味するステップは、単に「ＳＴ」と略記する。
【００４５】
図２において、ＳＴ２０１〜ＳＴ２０２は、タイミング算出手段１０３の処理動作を示し、ＳＴ２０３〜ＳＴ２０５は、復号制御手段１０４の処理動作を示している。
【００４６】
即ち、タイミング算出手段１０３は、まず、受信手段７０２での復調タイミングを用いてカウンタをスタート・ストップすることにより、２つの基地局装置が使用する無線リンク（Ｒａｄｉｏ  Ｌｉｎｋ：以降「ＲＬ」と記す）での隣接データ間のタイミング差Ｘを計測して復号制御手段１０４に与える（ＳＴ２０１）。
【００４７】
具体的には、図３に示すように、一方の基地局装置が使用するＲＬ１での受信データが他方の基地局装置が使用するＲＬ２での受信データよりも位相が進んだタイミングで進行している場合、ＲＬ１での受信データ「ｎ」の復調タイミングでカウンタをスタートし、ＲＬ２での隣接受信データ「ｎ−２」の復調タイミングでカウンタをストップすることにより、隣接受信データ「ｎ」「ｎ−２」間のタイミング差Ｘが求められる。用いる復調タイミングは、図３に示すように、ＲＬ１、ＲＬ２のそれぞれにおけるフィンガ内で最も位相の遅れたフィンガタイミングである。
【００４８】
そして、タイミング算出手段１０３は、バッファ７０８及びバッファ７０９に格納される復号手段１０１及び復号手段１０２が復号した各データのシーケンス番号から、同一のシーケンス番号を有するデータ間のタイミング差Ｙを計測して復号制御手段１０４に与える（ＳＴ２０２）。具体的には、図３に示すように、ＲＬ１での受信データ「ｎ−１」とＲＬ２での同一受信データ「ｎ−１」と間のタイミング差Ｙが求められる。
【００４９】
次に、復号制御手段１０４は、タイミング算出手段１０３が計測したタイミング差Ｘとタイミング差Ｙとの大小関係を比較する（ＳＴ２０３）。そして、Ｙ＞Ｘの場合は（ＳＴ２０３：Ｙｅｓ）、誤り検出手段７０６及び誤り検出手段７０７の誤り検出結果に基づき、復号手段１０１及び復号手段１０２の一方に復号処理動作を行わせ、他方に復号処理動作を停止させる復号停止制御を行う（ＳＴ２０４）。一方、Ｙ≦Ｘの場合は（ＳＴ２０３：Ｎｏ）、２つの基地局装置から同時に受信されたデータは同一のデータであると考えて、誤り検出手段７０６及び誤り検出手段７０７の誤り検出結果に基づく復号手段１０１及び復号手段１０２の復号停止制御は行わないとしている（ＳＴ２０５）。
【００５０】
要するに、本実施の形態では、受信開始時からタイミング算出手段１０３が最後のタイミング差Ｙを計測し終わるまでは、従来例（図７）で説明した手順で選択合成処理を行うが、タイミング算出手段１０３が最後のタイミング差Ｙを計測し終わると、以後は、ＳＴ２０４及びＳＴ２０５のいずれかの処理が行われるようになっている。
【００５１】
なお、ＳＴ２０３では、タイミング差Ｘとタイミング差Ｙとの大小関係を比較したが、タイミング差Ｘに代えて、タイミング差Ｘと同等の内容を持つ閾値を設計者がシステムに応じて定め、復号制御手段１０４は、予め設定されたその閾値とタイミング差Ｙとの大小関係を比較するようにしてもよい。この場合には、タイミング算出手段１０３は、タイミング差Ｙのみを計測することになる。
【００５２】
また、タイミング差Ｘ、Ｙは、本実施の形態では、通信端末装置側で測定するようにしたが、受信対象の各基地局装置から通知して貰うようにしてもよい。この場合は、タイミング算出手段１０３は、この通知されたタイミング差Ｘ、Ｙを検出することになる。
【００５３】
次に、復号制御手段１０４の復号停止制御の動作を具体的に説明する。なお、以降の説明では、一方の基地局装置が使用するＲＬ１の受信データの処理系は、復号手段１０１、誤り検出手段７０６及びバッファ７０８であり、他方の基地局装置が使用するＲＬ２の受信データの処理系は、復号手段１０２、誤り検出手段７０７及びバッファ７０９であるとしている。そして、同一データの受信タイミングは、図３に示す例では、ＲＬ１＞ＲＬ２であるので、ＲＬ１での受信処理が先行して行われる。
【００５４】
図４において、データ選択合成手段７１０は、ＲＬ１の受信データｎに対する復号手段１０１の復号処理が完了するのを待機し（ＳＴ４０１）、完了すると（ＳＴ４０１：Ｙｅｓ）、復号手段１０１の復号結果についての誤り検出手段７０６の検出結果を調べる（ＳＴ４０２）。
【００５５】
ＳＴ４０２の判断結果、復号手段１０１の復号結果が誤り未検出である場合（ＳＴ４０２：Ｙｅｓ）、データ選択合成手段７１０は、復号手段１０１の復号結果を最終的な選択合成結果として選択する（ＳＴ４０３）。このとき、復号制御手段１０４は、ＲＬ１の受信データｎと同じ内容のデータであるＲＬ２の受信データｎに対する復号手段１０２の復号処理を停止させる（ＳＴ４０４）。
【００５６】
一方、ＳＴ４０２の判断結果、復号手段１０１の復号結果から誤りが検出された場合（ＳＴ４０２：Ｎｏ）、復号手段１０２がＲＬ１の受信データｎと同じ内容のデータであるＲＬ２の受信データｎに対する復号処理を行っている（ＳＴ４０５）ので、データ選択合成手段７１０は、復号手段１０２の復号結果についての誤り検出手段７０７の検出結果を調べる（ＳＴ４０６）。
【００５７】
ＳＴ４０６の判断結果、復号手段１０２の復号結果が誤り未検出である場合（ＳＴ４０６：Ｙｅｓ）は、データ選択合成手段７１０は、復号手段１０２の復号結果を最終的な選択合成結果として選択する（ＳＴ４０７）。
【００５８】
一方、ＳＴ４０６の判断結果、復号手段１０２の復号結果から誤りが検出された場合（ＳＴ４０６：Ｎｏ）は、データ選択合成手段７１０は、全てのＲＬについて受信データの復号結果に誤りが検出されたことを上位の処理系に報告する（ＳＴ４０８）。なお、復号データは、ＲＬ１とＲＬ２のうち、尤度の高い方を上位の処理系に渡してもよい。
【００５９】
次に、図５を参照して、復号停止処理が行われる場合について説明する。なお、図５では、タイミング算出手段１０３は、隣接データ間のタイミング差Ｘの計測は行わず、代わりに閾値が与えられており、同一データ間のタイミング差Ｙのみを計測するとしている。
【００６０】
図５において、ＲＬ１のフレーム「ｎ−４」の先頭時刻ｔ＝０においてＲＬ１とＲＬ２の各受信データの復号処理及びＲＬ１とＲＬ２での同一データ間のタイミング差Ｙの計測を開始し、ＲＬ２のフレーム「ｎ−４」の先頭時刻ｔ＝１において、同一データｎ−４間のタイミング差Ｙの計測が完了する。
【００６１】
このタイミング差Ｙの計測が完了するまでの受信データについては、上記したように、従来例（図７）にて説明した手順で、誤りが検出されなかった受信データを最終的な選択合成結果とする。
【００６２】
タイミング差Ｙの計測が完了すると、タイミング差Ｙと閾値との大小関係を比較し、タイミング差Ｙ＞閾値の場合に、時刻ｔ＝１以降の受信データについて復号処理の停止制御を開始する。復号処理の停止制御には、図５に示すように、４つの態様がある。
【００６３】
受信データｎ−２については、ＲＬ１の復号結果についてのＣＲＣ結果が「ＯＫ」であるので、ＲＬ１の復号結果を最終的な選択合成結果とし、ＲＬ２に対する復号手段１０２及び誤り検出手段７０７の処理を停止する。受信データｎについても同様の制御が行われるとしている。
【００６４】
受信データｎ−１については、ＲＬ１の復号結果についてのＣＲＣ結果が「ＮＧ」であるので、ＲＬ２に対する復号手段１０２及び誤り検出手段７０７の処理を停止せずに復号処理を継続して行う。ＲＬ２の復号結果についてのＣＲＣ結果が「ＯＫ」であるので、ＲＬ２の復号結果を最終的な選択合成結果とする。
【００６５】
受信データｎ＋１については、ＲＬ１の復号結果についてのＣＲＣ結果が「ＮＧ」であるので、ＲＬ２に対する復号手段１０２及び誤り検出手段７０７の処理を停止せずに復号処理を継続して行う。しかし、ＲＬ２の復号結果についてのＣＲＣ結果の「ＮＧ」であるので、データ選択合成手段７１０は、ＲＬ１とＲＬ２について受信データの復号結果に誤りが検出されたことを上位の処理系に報告する。なお、復号データは、ＲＬ１とＲＬ２のうち、尤度の高い方を上位の処理系に渡してもよい。
【００６６】
受信データｎ＋２については、ＲＬ１の復号結果についてのＣＲＣ結果が「ＯＫ」であるので、原則から言えば、受信データｎ−２、受信データｎと同様に、ＲＬ１の復号結果を最終的な選択合成結果とし、ＲＬ２に対する復号手段１０２及び誤り検出手段７０７の処理を停止する。しかし、ＲＬ２の復号結果についてのＣＲＣ結果が「ＯＫ」であれば、逆に、ＲＬ２の復号結果を最終的な選択合成結果とし、ＲＬ１に対する復号手段１０２及び誤り検出手段７０７の処理を停止するようにしてもよい。
【００６７】
次に、図６を参照して、復号停止処理が行われない場合について説明する。なお、図６では、図５と同様に、タイミング算出手段１０３は、隣接データ間のタイミング差Ｘの計測は行わず、代わりに閾値が与えられており、同一データ間のタイミング差Ｙのみを計測するとしている。
【００６８】
図６において、ＲＬ１のフレーム「ｎ−３」の先頭時刻ｔ＝０においてＲＬ１とＲＬ２の各受信データの復号処理及びＲＬ１とＲＬ２での同一データ間のタイミング差Ｙの計測を開始し、ＲＬ２のフレーム「ｎ−２」の先頭時刻ｔ＝１において、同一データｎ−３間のタイミング差Ｙの計測が完了する。
【００６９】
このタイミング差Ｙの計測が完了するまでの受信データについては、上記したように、従来例（図７）にて説明した手順で、誤りが検出されなかった受信データを最終的な選択合成結果とする。
【００７０】
タイミング差Ｙの計測が完了すると、タイミング差Ｙと閾値との大小関係を比較し、タイミング差Ｙ≦閾値の場合に、時刻ｔ＝１以降の受信データについて復号処理の停止制御を行わない。
【００７１】
この場合には、ＲＬ１とＲＬ２の各受信データの復号処理の完了タイミングが１送信間隔（ＴＴＩ）以上ずれていない。したがって、双方の復号手段が同時に同一のデータについて復号を行っていると考えられるので、復号停止処理は行わず、ＲＬ１とＲＬ２の各受信データについて復号処理及び誤り検出処理が行われる。そして、ＲＬ１とＲＬ２の各受信データについてのＣＲＣ結果が共に「ＯＫ」である場合は、ＲＬ１とＲＬ２のいずれか一方の復号結果が最終的な選択合成結果として選択される。
【００７２】
以上は、基地局装置が２つの場合であるが、同時に通信する基地局がＳ（Ｓ＞２）個ある場合は、復号手段、誤り検出手段及びバッファの組をＳ個ずつ設けることができる。この場合には例えば、２つの基地局装置との通信開始時に、或いは、その後の通信中に、第３の基地局装置との通信が追加された場合に、それぞれの基地局装置からのデータ受信タイミング差（Ｘ、Ｙ）またはデータ受信タイミング差（Ｙ）を算出することで、同様に、省電力化を図った選択合成処理を行うことができる。
【００７３】
このように、本実施の形態によれば、復号処理の停止制御を行うようにしたので、選択合成処理での受信性能を下げることなく、消費電力を削減することができる。
【産業上の利用可能性】
【００７４】
本発明に係る通信端末装置は、複数の基地局装置から受信する同一内容のデータから一のデータを取り込む選択合成処理を省電力下の元で実現するのに好適である。
【図面の簡単な説明】
【００７５】
【図１】本発明の一実施の形態に係る通信端末装置の構成を示すブロック図
【図２】図１に示すタイミング算出手段及び復号制御手段の動作概要を説明するフローチャート
【図３】図１に示すタイミング算出手段のタイミング算出動作を説明する図
【図４】図１に示す復号制御手段が行う復号処理を停止するか否かの制御動作を説明するフローチャート
【図５】図１に示す復号制御手段の動作のうち復号停止制御を行う場合を具体的に説明する図
【図６】図１に示す復号制御手段の動作のうち復号停止制御を行わない場合を具体的に説明する図
【図７】従来の選択合成処理方法を適用した通信端末装置の構成例を示すブロック図
【符号の説明】
【００７６】
１００  通信端末装置の受信系
１０１、１０２  復号手段
１０３  タイミング算出手段
１０４  復号制御手段
７０１  受信アンテナ
７０２  受信手段
７０３  逆拡散手段
７０６、７０７  誤り検出手段
７０８、７０９  バッファ
７１０  データ選択合成手段
【図１】
2006295392.tif 000003
【図２】
2006295392.tif 000004
【図３】
2006295392.tif 000005
【図４】
2006295392.tif 000006
【図５】
2006295392.tif 000007
【図６】
2006295392.tif 000008
【図７】
2006295392.tif 000009